(57)【要約】  少なくとも一つの多層紙材料から作られた、液体製品用の容器（１）が、四つの側壁（４、５、６、７）と、液体内容物を注ぐための注ぎ口（１５）を提供する管状要素（１７）の方に向かって収束する四つの傾斜面（４ａ、５ａ、６ａ、７ａ）を与える頂部（９）とを具備する。管状要素（１７）は、頂部（９）と相互に作用するように作られた四つのタグ（２４）も与え、タグは、素材の対応する縁（１１）の間に挿入可能でかつ該縁（１１）と共に溶着可能で、閉鎖部と完成容器（１）の補強要素との両方として機能する接合領域（１２）を形成する。
2005514284.tif 000002
【特許請求の範囲】
【請求項１】
多層紙材料の素材から作られた容器であって、該容器（１）の頂部（９）に結合された管状要素（１７）を具備し、前記管状要素（１７）が、前記容器（１）の内部に収容された液体製品を注ぐための注ぎ口（１５）を提供し、頂部（９）が、接合領域（１２；４０）を確立するために重ね合わせ接触で接合された素材の少なくとも二つの縁（１１；３５；４１）を含む頂部（９）である、容器（１）において、素材の縁（１１；３５；４１）の間に差し挟まれることが可能で且つ前記縁が接合される領域（１２；４０）の少なくとも一部と共に溶着される少なくとも一つの突起（２４）を管状要素（１７）が与えることを特徴とする容器。
【請求項２】
管状要素（１７）が、フランジ状環状部分（１８）を具備し、容器（１）の上縁（２２）が、該フランジ状環状部分（１８）に接して合わせられる、請求項１に記載の容器。
【請求項３】
管状要素（１７）が、下部第一部分（１９）と上部第二部分（２０）とを具備しており、前記下部第一部分（１９）が、フランジ状部分（１８）の一方の側に設けられて、突起（２４）を組み入れ、また上縁（２２）に接続するように位置決めされ、また前記上部第二部分（２０）が、フランジ状部分（１８）の反対側に設けられて、容器（１）の蓋要素（２１）と結合するように作られている、請求項２に記載の容器。
【請求項４】
管状要素（１７）が、二つの突起（２４）を具備し、前記二つの突起（２４）が、それぞれの接合領域（１２；４０）を構成する素材の対応する縁（１１；３５；４１）の間に差し挟まれ得るものである、請求項１〜３のいずれか一項に記載の容器。
【請求項５】
管状要素（１７）が、四つの突起（２４）を具備し、前記四つの突起（２４）が、前記管状要素（１７）の周囲に配置されて、それぞれの接合領域（１２）を構成する素材の対応する縁（１１）の間に差し挟まれ得るものである、請求項１〜４のいずれか一項に記載の容器。
【請求項６】
ほぼ平行六面体の本体（２）を具備する請求項５に記載の容器であって、容器（１）の頂部（９）が、四つの面（４ａ、５ａ、６ａ、７ａ）を与え、前記四つの面（４ａ、５ａ、６ａ、７ａ）が、平行六面体の本体（２）のそれぞれの壁（４、５、６、７）から延びて管状要素（１７）の方へ向かって収束する、請求項５に記載の容器。
【請求項７】
四つの面（４ａ、５ａ、６ａ、７ａ）が、接合領域（１２）を手段として互いに接続され、前記接合領域（１２）は、そこに沿って紙材料の素材の縁（１１）が接合される領域である、請求項６に記載の容器。
【請求項８】
接合領域（１２）が、平行六面体の本体（２）の壁（４、５、６、７）を分けるそれぞれのコーナーの稜（８）と一直線に配設される、請求項７に記載の容器。
【請求項９】
頂部（９）に一致するほぼ円錐台の壁（３７）であって、管状要素（１７）の方へ向かって収束するほぼ円錐台の壁（３７）を具備する、請求項１〜３のいずれか一項に記載の容器。
【請求項１０】
円錐台の壁（３７）が接合領域（４０）を与え、前記接合領域（４０）に沿って素材の縁（４１）が接合され、また接合領域（４０）が、円錐台の壁（３７）が属せられる円錐（３８）の母線にほぼ沿って延在する、請求項９に記載の容器。
【請求項１１】
ほぼ楕円形断面の平たい本体（３０）を具備する、請求項１又は２に記載の容器であって、容器（１）の頂部（９）が、管状要素（１７）の方へ向かって収束する二つの面（３３）を与える、請求項１又は２に記載の容器。
【請求項１２】
接合領域（１２；４０）を構成する縁（１１；３５；４１）の間に差し挟まれ得る突起（２４）が、多角形の輪郭のタグ（２５）として現れる、請求項１〜１１のいずれか一項に記載の容器。
【請求項１３】
接合領域（１２；４０）を構成する縁（１１；３５；４１）の間に差し挟まれ得る突起（２４）が、丸みのある輪郭のタグ（２６；２７）として現れる、請求項１〜１１のいずれか一項に記載の容器。
【請求項１４】
タグ（２５；２６；２７）が、管状要素（１７）の下部第一部分（１９）に固定されかつ該下部第一部分（１９）から片持ちで張り出される、請求項１２又は１３に記載の方法。
【請求項１５】
接合領域（１２；４０）を構成する縁（１１；３５；４１）の間に差し挟まれ得る突起（２４）が、管状要素（１７）に固定され且つ該管状要素（１７）から片持ちで張り出されるペグ（２９）として構成される、請求項１〜１１のいずれか一項に記載の容器。
【請求項１６】
接合領域（１２；４０）を構成する縁（１１；３５；４１）の間に差し挟まれ得る突起（２４）が、縁（１１；３５；４１）を共に溶着するための充填材として機能する、請求項１〜１５のいずれか一項に記載の容器。
【請求項１７】
管状要素（１７）の少なくとも下部第一部分（１９）が、容器（１）の頂部（９）に対する管状要素（１７）の位置を定める基準として機能する平坦区域（４２）を与える、請求項１〜１６のいずれか一項に記載の容器。
【発明の詳細な説明】
【技術分野】
【０００１】
本発明は、容器が収容する飲料を注ぐか又は引き出す注ぎ口を備える容器に関するものである。
【０００２】
特に、含意される通常の範囲に限定されないが、本発明は、液体飲料用の、典型的には、ミネラルウォーター、ミルク、フルーツジュース、ヨーグルト、及びその他同種のもののような食品用の容器に関するものである。
【背景技術】
【０００３】
前述の飲料に適用可能な瓶詰め及び包装の技術分野は、一般的には、特に液体に適した食品に安全な材料の一つ以上の層で被覆された厚紙又は板紙の多層紙材料の中空本体として現れる容器を包含する。
【０００４】
当該のタイプの容器は、通常はロール材から切り取られた平らな打抜き素材板から作られ、そして当該の飲料を収容できる容器を形作るようにあらかじめ付けられた折り目線に沿って折り曲げられる。
【０００５】
容器は、それが充填され得るように頂部で開放されたままであり、そしてしかる後、開放している頂部の境界を区切る素材の縁が、合わせられて接合且つシールされて容器に密封閉鎖部を提供する。
【０００６】
従来から採用されている代替の方法は、硬い管状要素又は“ネック”を容器の頂部に取り付けることであり、前記硬い管状要素又は“ネック”は、飲料を注ぐための注ぎ口を提供し、また容器の蓋を提供する関連のキャップと連結されることが可能である。
【０００７】
当該の硬い管状要素は、容器の頂部を構成する素材の部分に、通常は熱溶着又はホットメルト接着剤を使って固定される。
【０００８】
素材の接合縁に一致する場所に取り付けられた硬い管状要素の場合、密封封止が獲得されたことを検証することが特に難しい。
【０００９】
従って、このタイプの解決法に結びついた欠点の一つは、在来の方法によって容器へ密封閉鎖部を準備することが、実現するには特に複雑且つ困難であり、また大量の接着剤及び／又は溶着材料の使用を必要とすることである。
【発明の開示】
【発明が解決しようとする課題】
【００１０】
本発明の目的は、前述の欠点による影響を受けないだけでなく、製造するのに機能的で実用的で費用のかからないような、当該のタイプの飲料のための容器を提供することである。
【課題を解決するための手段】
【００１１】
提示された目的は、多層紙材料の素材から作られた容器で本発明により達成され、前記容器は、容器の頂部に結合された管状要素であって、前記容器の中に収容されている飲料を注ぐための注ぎ口を提供する管状要素を具備しており、頂部が、接合領域を確立するために重ね合せ接触で接合された素材の少なくとも二つの縁を含む頂部である、容器において、素材の前記縁の間に差し挟むことができる少なくとも一つの突起であって前記縁が接合される領域の少なくとも一部分と共に溶着される少なくとも一つの突起を管状要素が提供することを特徴とする容器である。
【００１２】
本発明は、添付図面を用いて、例示を目的としてここで詳細に説明される。
【発明を実施するための最良の形態】
【００１３】
図面を参照すると、本発明が関係する容器が、その全体を参照符号１で示されている。
【００１４】
容器１は、少なくとも飲料に触れる表面が食品に安全な材料のフィルムで被覆された厚紙又は板紙のような、多層紙材料の一つ以上の素材（非図示）から組み立てられる。
【００１５】
図１、２、及び３の容器１は、主垂直軸Ａに属せられる管形容器本体２を具備しており、また四角形の底面３及び四つの垂直な側壁４、５、６、及び７を与える。
【００１６】
垂直な側壁４、５、６、及び７の各々は、対向する壁４、５、６、及び７に平行に位置し、また二つの隣接する壁４、５、６、及び７に対して垂直である。
【００１７】
垂直な側壁４、５、６、及び７は、参照符号８で示されるそれぞれの垂直コーナーの稜によって、一つが次のものから分けられる。
【００１８】
容器１は、四つの傾斜面４ａ、５ａ、６ａ、及び７ａを与える頂部９も具備しており、前記四つの傾斜面の各々は、それぞれの垂直な側壁４、５、６、及び７から上方に延在している。
【００１９】
傾斜面４ａ、５ａ、６ａ、及び７ａの各々は、それぞれの第一突出溶着シーム１０によって両側で面４ａ、５ａ、６ａ、及び７ａに接合される。
【００２０】
各々の第一シーム１０は、前述の紙材料の素材の二つの縁１１（図３を参照）を共に重ね合わせて溶着することにより獲得される。
【００２１】
第一シーム１０は、それぞれの接合領域１２を構成し、前記接合領域１２に沿って傾斜面４ａ、５ａ、６ａ、及び７ａが接続される。
【００２２】
管形容器本体２は、二つの相互に対向する垂直側壁５及び７が、二つのそれぞれの第二の縦方向シーム１３を与えるように、よく知られたやり方で紙材料の素材から組み立てられ、前記第二の縦方向シーム１３の各々は、本体２の対応する横断寸法を最小化するように関係する垂直側壁に対して平らな構造形にされる。
【００２３】
各垂直側壁４、５、６、及び７は、最下部を前述の四角形底面３によって、また側方を垂直コーナーの稜８によってまた最上部を水平コーナーの稜１４によって境界を付けられており、前記水平コーナーの稜１４は、関係する傾斜面４ａ、５ａ、６ａ、及び７ａに境界を付ける折り線１４ａと同一でもある。
【００２４】
四つの傾斜面４ａ、５ａ、６ａ、及び７ａは、関係する水平折り線１４ａから、容器１の内容物が注ぎ出される注ぎ口１５の方に収束して、結合しその結果前記容器の角錐台部分１６を確立する。
【００２５】
注ぎ口１５は、プラスチック材料の円筒管状要素１７として現れ、フランジ状環状部分１８、及び該環状部分の両側に、下部第一部分１９（図５から９に図示される）と上部第二部分２０を与える。
【００２６】
上部第二部分２０は、それぞれのねじキャップ２１を受入れるようにねじ山が付けられており、前記ねじキャップ２１は図２に示されるように容器１のための蓋を提供する。
【００２７】
傾斜面４ａ、５ａ、６ａ、及び７ａの上端は連合して、容器１の環状上端２２を作り出し、前記環状上端２２は、管状要素１７の前述の下部第一部分１９に溶着によって結合される。
【００２８】
図２を参照すると、フランジ状環状部分１８は、容器の環状端２２に提供されるショルダ２３を与え、前記ショルダ２３は、管状要素１７が環状端２２に対して正しく位置決めされることを保証するように機能する。
【００２９】
図３で識別し得るように、管状要素１７の下部第一部分１９は、四つのほぼ放射状の突起２４を与え、前記突起２４は前記要素の周囲に等間隔で離間され、従って一つのものが次のものから９０度で離されている。
【００３０】
第一突出シーム１０は、環状上縁２２に近接したそれぞれの場所で環状要素の突起２４に係合できる。
【００３１】
換言すると、各突起２４は、接合領域１２の所定の部分に一致し、また重ね合せ接触で接合され且つ溶着されて第一シーム１０を形成する素材の二つの縁１１の間に位置する。
【００３２】
図５の例では、突起２４は、管状要素１７の下部第一部分１９から片持ちで張り出た多角形輪郭のタグ２５で構成される。
【００３３】
図６及び図７の例では、突起２４は、参照符号２６及び２７でそれぞれ示される丸みのある輪郭のタグで構成される。これらのタグ２６及び２７は同様に管状要素１７の下部第一部分１９から片持ちで張り出している。図７のタグ２７は、第一突出シーム１０の角度に合うように、下方に有利に角度が付けられている。
【００３４】
図８の例では、突起２４は、下部第一部分１９とフランジ状環状部分１８のショルダ２３の両方に固定された多角形輪郭のタグ２８で構成される。
【００３５】
図９の例では、突起２４はぺグ２９で構成される。
【００３６】
図１、２、及び３を再び参照して説明すると、管形容器本体２は、主軸Ａを中心にしたほぼ直立の管形構成要素（非図示）を作り出すために素材材料を前述の垂直コーナーの稜８に沿って曲げて縦方向シーム１３を溶着し、次にほぼ直立の管形構成要素の一方の端を内側に折り曲げて四角形の底面３を形成することによって形作られる。
【００３７】
四つの傾斜面４ａ、５ａ、６ａ、及び７ａは、第一シーム１０に沿って共に接合されて溶着され、またこの同じ工程の実質的な一部分として、管状要素１７は、溶着によって容器１の環状上縁２２に固定される。
【００３８】
この溶着工程の過程の間に、素材の二つの対応する縁の間に配置された突起２４の各々は、溶着手段（在来的なもので、非図示）によって少なくとも部分的に溶融され、その結果突起２４のプラスチック材料が、封止媒体として容器１の閉鎖部の中に実際に組み込まれる。
【００３９】
換言すると、突起２４のプラスチック材料は、溶着されたアセンブリにおける充填材として機能し、また、従って環状上縁２２における密封作用に対して特に重要な接合領域１２の効果的な密封を保証するのを助けるように設計されている。
【００４０】
第一突出溶着シーム１０の傾斜面４ａ、５ａ、６ａ、及び７ａからの隆起は、主軸Ａに沿う圧潰力に対する頂部９の抵抗力という点で、頂部９の機械的強度を著しく高める効果を有利に有している。
【００４１】
図４に示される容器１の代りの実施例は、垂直主軸Ａに属するほぼ楕円の断面の平たい本体３０を具備しており、また基部３１と凸輪郭の二つの相互に対向する側壁３２とを与える。
【００４２】
容器１は、二つの傾斜面３３を与える頂部９を具備しており、前記二つの傾斜面３３の各々は側壁３２の一つにそれぞれ結合されている。側壁３２及びそれぞれの傾斜面３３は、それぞれの溶着シーム３４によって互いに接合されている。
【００４３】
各々の溶着シーム３４は、容器１を作り出す紙材料の素材の二つの縁３５を共に重ね合わせて溶着することによって得られる。
【００４４】
図１、２、及び３の例と同様のやり方で、容器１は、フランジ状環状部分１８と、該環状部分の両側に下部第一部分１９と上部第二部分２０とを与えるプラスチック材料の円筒管状要素１７によって提供される注ぎ口１５を与える。
【００４５】
第一の実施例とは異なって、及び二つだけの傾斜面３３があることからの直接的な結果として、管状要素１７は、ただ二つのほぼ放射状の突起２４を与え、前記二つのほぼ放射状の突起２４は、図には示されないが、角度１８０度で等間隔に離間され、またシーム３４を形成するために重ね合わせられて溶着される、素材の二つの縁３５の間に配置されるように設計されている。
【００４６】
図１０、１１、及び１２は、容器１の更に別の実施例を示しており、該容器１の本体３６は、部分的にだけ示されており、円錐台壁３７を構成する頂部９が上にある。
【００４７】
円錐台壁３７は、参照符号３８で示される円錐に属せられ、また前記壁３７に接合領域４０を確立する突出溶着シーム３９を与え、また前記接合領域４０は基準円錐３８の母線（非図示）に沿って延在する。
【００４８】
溶着シーム３９は、円錐台壁３７を作り出す紙材料の素材の二つの縁４１を共に重ねて溶着することによって得られる。
【００４９】
図１、２、及び３の例に同様のやり方で、容器１は、プラスチック材料の円筒管状要素１７によって提供される注ぎ口１５を与え、前記円筒管状要素１７は、フランジ状環状部分１８と、該環状部分の両側に下部第一部分１９と上部第二部分２０とを与える。
【００５０】
第一の実施例とは異なって、またただ一つの溶着シーム３９があることからの直接的な結果として、管状要素１７は、図１３に示されるようにただ一つの突起２４を与え、前記突起２４は、シーム３９を形作るために重ね合わされて溶着される素材の二つの縁４１の間に配置されるように設計されている。
【００５１】
蓋の密封封止を維持して、偶発的若しくは正当と認められていない容器１の開放を防ぐために、在来のタイプの裂開要素（非図示）が、環状フランジ部分とキャップとの間に都合よく配置される。
【００５２】
図１３の例では、管状要素１７の下部第一部分１９は、外面平坦区域４２を与え、前記外面平坦区域４２は、管状要素１７が容器１の環状上縁２２に対して所定の位置をとることを保証するように働く基準として機能する。
【００５３】
図に示されていない、容器１の更に別の代替実施例では、管状要素１７は、四角形の下部第一部分１９と、既に説明されたものと同様の円形の上部第二部分２０とを有している。
【図面の簡単な説明】
【００５４】
【図１】本発明に従って具体化された容器の上方からの斜視図である。
【図２】キャップを備えた図１の容器の一部の概略側面図である。
【図３】いくつかの部分が省略されまた他の部分が断面で示された、図１及び２の容器の概略平面図である。
【図４】本発明による容器の他の実施例の上方からの斜視図である。
【図５】図１、２、３、及び４のような容器における詳細を五つの代替実施例でそれぞれ示す概略側面図である。
【図６】図１、２、３、及び４のような容器における詳細を五つの代替実施例でそれぞれ示す概略側面図である。
【図７】図１、２、３、及び４のような容器における詳細を五つの代替実施例でそれぞれ示す概略側面図である。
【図８】図１、２、３、及び４のような容器における詳細を五つの代替実施例でそれぞれ示す概略側面図である。
【図９】図１、２、３、及び４のような容器における詳細を五つの代替実施例でそれぞれ示す概略側面図である。
【図１０】本発明による容器の更に別の実施例の一部分の上方からの斜視図である。
【図１１】図１０で示された、キャップを備えた容器の一部分の概略側面図である。
【図１２】図１０及び１１の容器の概略平面図であり、いくつかの部分が省略されまた他の部分が断面で示されている。
【図１３】図５から９で示された詳細の更なる実施例の上方からの斜視図である。
【図１】
2005514284.tif 000003
【図２】
2005514284.tif 000004
【図３】
2005514284.tif 000005
【図４】
2005514284.tif 000006
【図５】
2005514284.tif 000007
【図６】
2005514284.tif 000008
【図７】
2005514284.tif 000009
【図８】
2005514284.tif 000010
【図９】
2005514284.tif 000011
【図１０】
2005514284.tif 000012
【図１１】
2005514284.tif 000013
【図１２】
2005514284.tif 000014
【図１３】
2005514284.tif 000015
【手続補正書】
【提出日】平成16年2月19日(2004.2.19)
【手続補正１】
【補正対象書類名】特許請求の範囲
【補正対象項目名】請求項１
【補正方法】変更
【補正の内容】
【請求項１】
多層紙材料の素材から作られた容器であって、該容器（１）の頂部（９）に結合された管状要素（１７）を具備し、前記管状要素（１７）が、前記容器（１）の内部に収容された液体製品を注ぐための注ぎ口（１５）を提供し、頂部（９）が、接合領域（１２；４０）を確立するために重ね合わせ接触で接合された素材の少なくとも二つの縁（１１；３５；４１）を含む頂部（９）であり、また管状要素（１７）が、素材の縁（１１；３５；４１）の間に差し挟まれることが可能で且つ前記縁が接合される領域（１２；４０）の少なくとも一部と共に溶着される少なくとも一つの突起（２４）を与える、容器（１）において、前記接合領域（１２；４０）が、管状要素（１７）から頂部（９）に下り坂で延在することを特徴とする容器。
【手続補正２】
【補正対象書類名】図面
【補正対象項目名】図１
【補正方法】変更
【補正の内容】
【図１】
2005514284.tif 000016
【手続補正３】
【補正対象書類名】図面
【補正対象項目名】図２
【補正方法】変更
【補正の内容】
【図２】
2005514284.tif 000017
【手続補正４】
【補正対象書類名】図面
【補正対象項目名】図３
【補正方法】変更
【補正の内容】
【図３】
2005514284.tif 000018
【国際調査報告】
2005514284.tif 000019
2005514284.tif 000020
2005514284.tif 000021